(57)【要約】      （修正有）【課題】過大な手間やコストを要することなく、水路や水田の岸部壁面へのスクミリンゴガイの産卵を防止することのできるスクミリンゴガイの産卵防止方法を提供する。【解決手段】スクミリンゴガイ５０の歩行を阻害するための歩行阻害手段１１がオモテ面に設けられたマット１０のウラ面を水路又は貯水区周辺の壁面αにおける水面βよりも高い箇所に貼り付けることにより、マット１０が貼り付けられた箇所よりも上側にスクミリンゴガイ５０が登って産卵するのを防止する。歩行阻害手段１１は、マット１０のオモテ面から起立して設けられた複数本の線材又は突起により構成すると好ましい。【選択図】図１
2014212715.tif 000002
【特許請求の範囲】
【請求項１】
スクミリンゴガイの歩行を阻害するための歩行阻害手段がオモテ面に設けられたマットのウラ面を水路又は貯水区周辺の壁面における水面よりも高い箇所に貼り付けることにより、前記マットが貼り付けられた箇所よりも上側にスクミリンゴガイが登って産卵するのを防止することを特徴とするスクミリンゴガイの産卵防止方法。
【請求項２】
前記マットが帯状のものであり、前記マットの長手方向が前記水面と平行となる向きで前記マットを前記壁面に貼り付ける請求項１記載のスクミリンゴガイの産卵防止方法。
【請求項３】
前記歩行阻害手段が、前記マットのオモテ面から起立して設けられた複数本の線材又は突起である請求項１又は２記載のスクミリンゴガイの産卵防止方法。
【請求項４】
前記線材又は突起の高さが５〜５０ｍｍである請求項２又は３記載のスクミリンゴガイの産卵防止方法。
【請求項５】
前記線材又は突起の直径が０．２〜５ｍｍである請求項３又は４記載のスクミリンゴガイの産卵防止方法。
【請求項６】
前記マットにおける前記線材又は突起の配置密度が０．５〜２０本／ｃｍ２である請求項３〜５いずれか記載のスクミリンゴガイの産卵防止方法。
【請求項７】
前記複数本の線材又は突起のうち過半数の線材又は突起を前記壁面の下側に向けて、前記マットを前記壁面に貼り付ける請求項３〜６いずれか記載のスクミリンゴガイの産卵防止方法。
【請求項８】
水面から前記壁面に貼り付けられた前記マットの下縁までの高さを１〜１０ｃｍとする請求項１〜７いずれか記載のスクミリンゴガイの産卵防止方法。
【請求項９】
前記マットを前記壁面における異なる高さに多段で貼り付ける請求項１〜８いずれか記載のスクミリンゴガイの産卵防止方法。
【発明の詳細な説明】
【技術分野】
【０００１】
本発明は、スクミリンゴガイが水路又は貯水区周辺の壁面に産卵しないようにするためのスクミリンゴガイの産卵防止方法に関する。
【背景技術】
【０００２】
水路や水田の岸部壁面を見ると、長さ数ｃｍ程度のピンク色の塊が付着していることがある。この塊は、スクミリンゴガイ（いわゆるジャンボタニシ）という外来種の巻貝の卵塊である。スクミリンゴガイの卵塊は、見た目がグロテスクで目立つことに加えて、その産卵期には、岸部壁面に大量に産みつけられることもあり、景観を害するとして各地で問題となっている。また、卵から孵ったスクミリンゴガイは、水田の稲を食べることで知られている。景観を守るため、又は農作物への被害を抑えるという観点から、スクミリンゴガイの駆除は、近年、重要な課題となっている。
【０００３】
このような実状に鑑みて、カルガモやスッポンやコイなど、スクミリンゴガイを捕食する天敵を水田に放すことにより、スクミリンゴガイを駆除することが試みられた。しかし、この駆除方法では、天敵がスクミリンゴガイを捕食するスピードに限りがあるため、スクミリンゴガイの繁殖を完全には抑えることができず、結局は人手に頼ってスクミリンゴガイやその卵塊を駆除するなどしなければならないなど、その効果はいま一つであった。また、せっかく放したこれらの天敵を食用のためなどに捕える輩もおり、その見張りや減少した天敵の補充などにコストや手間を要するものとなっていた。
【０００４】
ところで、これまでには、農業用の水路から水田へと水を引き込む取水口を網で覆うことにより、スクミリンゴガイの水田への侵入を防止する方法も提案されている（例えば特許文献１，２）。しかし、この方法では、水田での産卵は防止できても、水路での産卵を防止できないなど、景観を守るという観点では十分な対策とは言えなかった。加えて、スクミリンゴガイは、水の無いところを移動することができるため、いくら取水口からの侵入を防止したとしても、必ずしも、スクミリンゴガイの水田への侵入を完全に防止できるとは言えなかった。
【０００５】
また、これまでには、銅粉を添加した樹脂からなる忌避剤を水路の岸部壁面における気中部分に塗布することにより、スクミリンゴガイを忌避する方法も提案されている（例えば特許文献３）。しかし、この方法は、岸部壁面が泥などにより汚れている場合には、予め岸部壁面を洗浄しておく必要があるなど、手間を要するものとなっていた。加えて、塗布した忌避剤が風雨や紫外線などにより岸部壁面から剥離したり劣化したりすると、その後は所望の忌避効果が得られなくなるおそがあるだけでなく、それに含まれる銅粉などが周辺環境に悪影響を及ぼすおそれもある。さらに、原料として高価な銅粉が必要であるため、忌避剤の価格を抑えることが困難であると考えられる。したがって、大規模な水路や水田の広い面積に忌避剤を塗布したい場合には、コスト的な問題が生じてしまう。
【先行技術文献】
【特許文献】
【０００６】
【特許文献１】実登第３１２９７６０号公報
【特許文献２】実登第３１６７９１０号公報
【特許文献３】特開２００８−１３７９５９号公報
【発明の概要】
【発明が解決しようとする課題】
【０００７】
本発明は、上記課題を解決するためになされたものであり、過大な手間やコストを要することなく、水路や水田の岸部壁面へのスクミリンゴガイの産卵を防止することのできるスクミリンゴガイの産卵防止方法を提供するものである。
【課題を解決するための手段】
【０００８】
上記課題は、スクミリンゴガイの歩行を阻害するための歩行阻害手段がオモテ面に設けられたマットのウラ面を水路又は貯水区周辺の壁面における水面よりも高い箇所に貼り付けることにより、前記マットが貼り付けられた箇所よりも上側にスクミリンゴガイが登って産卵するのを防止することを特徴とするスクミリンゴガイの産卵防止方法を提供することによって解決される。ここで、「水路」とは、農業用水路など、スクミリンゴガイの発生が問題となっている、又は問題となるおそれのある水の流れのある場所のことを云う。一方、「貯水区」とは、水田や農業用貯水池など、スクミリンゴガイの発生が問題となっている、又は問題となるおそれのある水の溜まった場所のことを云う。
【０００９】
これにより、水路又は貯水区周辺の壁面（例えば岸部壁面）にスクミリンゴガイが産卵するのを防止することができる。というのも、スクミリンゴガイは、水中では卵が孵化することができないため、高い場所（水のかからない乾いた場所）に登ることができなければ産卵を行わないという習性を有している。本発明のスクミリンゴガイの産卵防止方法は、スクミリンゴガイのこの習性を利用して、その産卵を防止するものである。すなわち、本発明のスクミリンゴガイの産卵防止方法によれば、水路又は貯水区周辺の壁面における高い場所に登ろうとするスクミリンゴガイの歩行を前記マットで阻害し、産卵に適した場所までスクミリンゴガイが登ることができないようにすることが可能である。産卵場所への移動を邪魔されたスクミリンゴガイは、その場所での産卵を諦めることになる。
【００１０】
本発明のスクミリンゴガイの産卵防止方法において、前記マットの形態やそれを貼り付ける向きは、特に限定されない。前記マットの形態は、例えば、正方形や長方形などとしてもよい。しかし、この場合において、水路又は貯水区周辺の壁面における広い範囲でスクミリンゴガイの産卵を防止しようとすると、多数枚の前記マットを前記壁面に繰り返し貼り付ける必要がある。このため、前記マットを帯状のものとし、前記マットの長手方向が前記水面と平行となる向きで前記マットを前記壁面に貼り付けると好ましい。これにより、１枚の前記マットで前記壁面における広い範囲でのスクミリンゴガイの産卵を防止することが可能になる。加えて、前記マットが巻回されたロールから前記マットを繰り出しながら前記壁面に貼り付けるなど、前記マットの施工も容易となる。
【００１１】
また、本発明のスクミリンゴガイの産卵防止方法において、前記歩行阻害手段は、スクミリンゴガイの歩行を阻害するものであれば特に限定されないが、前記マットのオモテ面から起立して設けられた複数本の線材又は突起とすると好ましい。筋肉足（腹足）で歩行するスクミリンゴガイは、複数本の線材又は突起が起立して設けられた状態の面（トゲトゲした状態の面）を歩行することができないからである。また、スクミリンゴガイは、その触角や体が障害物に接触すると、その障害物がある方向への移動を諦める習性を有しているが、前記歩行阻害手段を上記のように構成することによって、スクミリンゴガイの触角や体を前記線材や突起に接触させることも可能になる。
【００１２】
このとき、前記線材又は前記突起の高さは、特に限定されないが、低くしすぎると、スクミリンゴガイの歩行を十分に阻害できなくなるおそれがある。このため、前記線材又は突起の高さ（前記線材又は突起の基端部から先端部までの前記マットの法線方向に沿った距離。以下同じ。）は、５ｍｍ以上とすると好ましい。前記線材又は突起の高さは、８ｍｍ以上であるとより好ましく、１０ｍｍ以上であるとさらに好ましい。一方、前記線材又は突起を高くしすぎると、スクミリンゴガイの歩行を阻害する観点からはあまり意味がないばかりか、前記マットの製造コストが増大したり、前記マットの取扱いが困難になる（例えば、前記マットをロール状に巻回できなくなる）おそれもある。このため、前記線材又は突起の高さは、５０ｍｍ以下とすると好ましい。前記線材又は突起の高さは、４０ｍｍ以下であるとより好ましく、３０ｍｍ以下であるとさらに好ましい。
【００１３】
また、前記線材又は突起の太さは、特に限定されないが、細くしすぎると、起立した姿勢を維持し続けることが可能な程度の剛性を前記線材や突起に付与することが困難になるおそれがある。このため、前記線材又は突起の直径（断面形状が非円柱状である場合には、その断面の渡り幅の最小値。以下、前記線材又は突起の直径の下限値において同じ。）は、０．２ｍｍ以上とすると好ましい。前記線材又は突起の直径は、０．５ｍｍ以上であるとより好ましく、０．８ｍｍ以上であるとさらに好ましい。一方、前記線材又は突起を太くしすぎると、前記マットの製造コストが増大したり、前記マットの取扱いが困難になる（例えば、前記マットをロール状に巻回できなくなる）おそれがある。このため、前記線材又は突起の直径（断面形状が非円柱状である場合には、その断面の渡り幅の最大値。以下、前記線材又は突起の直径の上限値において同じ。）は、５ｍｍ以下とすると好ましい。前記線材又は突起の直径は、３ｍｍ以下であるとより好ましく、２ｍｍ以下であるとさらに好ましい。
【００１４】
さらに、前記マットにおける前記線材又は前記突起の配置密度（前記マット単位面積当たりの前記線材又は突起の本数。以下同じ。）は、前記線材又は前記突起の直径などによっても異なり、特に限定されない。しかし、前記マットにおける前記線材又は前記突起の配置密度を少なくしすぎると、前記線材又は突起の隙間をスクミリンゴガイが通り抜けてしまうおそれがある。このため、前記線材又は突起の配置密度は、０．５本／ｃｍ２以上とすると好ましい。前記線材又は突起の配置密度は、０．８本／ｃｍ２以上であるとより好ましく、１本／ｃｍ２以上であるとさらに好ましい。一方、前記線材又は突起の配置密度を多くしすぎると、スクミリンゴガイの歩行防止の観点からはあまり意味がないばかりか、前記マットの製造コストが増大したり、前記マットの取扱いが困難になる（例えば、前記マットをロール状に巻回できなくなる）おそれがある。加えて、前記線材又は突起の隙間にゴミなどが引っ掛かりやすくなる。このため、前記線材又は突起の配置密度は、２０本／ｃｍ２以下とすると好ましい。前記線材又は突起の配置密度は、１５本／ｃｍ２以下であるとより好ましく、１０本／ｃｍ２以下であるとさらに好ましい。
【００１５】
さらにまた、前記複数本の線材又は突起は、前記マットのオモテ面から起立した状態に設けられているのであれば、その具体的な向きは特に限定されない。しかし、前記複数本の線材又は突起のうち過半数の線材又は突起を前記壁面の下側に向けて、前記マットを前記壁面に貼り付けると好ましい。これにより、前記マットのオモテ面をスクミリンゴガイがより歩行しにくい状態とすることができる。前記複数本の線材又は突起は、その全てを前記壁面の下側に向けさせると好ましい。これにより、上記の効果をより顕著に奏させるだけでなく、ゴミなどが前記線材又は突起へ引っ掛かりにくくすることも可能になる。この場合、前記複数本の線材又は突起を前記マットのオモテ面に対して傾斜させる方法（前記複数本の線材又は突起を前記壁面の下側に向くようにする方法）は、特に限定されない。前記複数本の線材又は突起は、予め前記マットのオモテ面に対して傾斜させた状態に設けてもよいし、前記複数本の線材又は突起を、樹脂フィラメントや金属ワイヤのように力を加えると塑性変形するような素材で形成しておき、事後的に手で押さえ付けるなどして所定の方向に傾くようにクセを付つけてもよい。
【００１６】
ところで、本発明のスクミリンゴガイの産卵防止方法においては、水面から前記壁面に貼り付けられた前記マットまでの高さも重要である。前記マットを貼り付けた箇所が低すぎると、増水などによって水面が標準水位よりも僅かに上昇しただけでも、前記マットが水面下となり、前記壁面における前記マットが貼り付けられた箇所よりも上側にスクミリンゴガイが付着するのを防止できなくなるおそれがある。このため、水面から前記壁面に貼り付けられた前記マットの下縁までの高さＨ０（図１を参照。後述するように、前記マットを多段に貼り付ける場合には、水面のすぐ上側に貼り付けられた前記マットの下縁までの高さ。以下同じ。）は、通常、１ｃｍ以上とされる。高さＨ０は、３ｃｍ以上とすると好ましく、５ｃｍ以上とするとより好ましい。一方、前記マットを貼り付けた箇所が高すぎると、前記壁面における前記マットが貼り付けられた箇所よりも下側にスクミリンゴガイが付着して産卵するおそれがある。このため、水面から前記壁面に貼り付けられた前記マットの下縁までの高さＨ０は、通常、２０ｃｍ以下とされる。高さＨ０は、１５ｃｍ以下であると好ましく、１０ｃｍ以下であるとより好ましい。
【００１７】
また、本発明のスクミリンゴガイの産卵防止方法において、前記マットは、前記壁面における同じ高さに１段に貼り付けてもよいが、前記壁面における異なる高さに多段で貼り付けると好ましい。水路や貯水区の水位は、降雨量などによって変化するが、前記マットを多段に貼り付けることにより、水位が上昇又は低下しても、いずれかの段の前記マットが水面から所定高さに存在するようにして、スクミリンゴガイの産卵を防止することが可能になる。前記マットを多段に貼り付ける場合には、その下側の何段かは、水面下となるようにしてもよい。これにより、前記壁面に前記マットを貼り付けたときよりも水位が下がった場合であっても、スクミリンゴガイの産卵を防止することが可能になる。前記マットを何段に設けるかは、想定される水位の変化量などを考慮して適宜決定する。最下段の前記マットの下縁は、想定される最も低い水位の水面と同じ高さか、該水面よりも僅かに高い高さ（該水面よりも１０ｃｍ以下の高さ）に貼り付けると最適である。一方、最上段の前記マットの下縁は、想定される最も高い水位の水面と同じ高さか、該水面よりも僅かに高い高さ（該水面よりも１０ｃｍ以下の高さ）に張設すると最適である。
【発明の効果】
【００１８】
以上のように、本発明によって、過大な手間やコストを要することなく、水路や水田の岸部壁面へのスクミリンゴガイの産卵を防止することのできるスクミリンゴガイの産卵防止方法を提供することが可能になる。したがって、景観を守るとともに、スクミリンゴガイの繁殖を抑えて農作物の食害を簡単かつ低コストで防止することも可能になる。
【図面の簡単な説明】
【００１９】
【図１】歩行阻害手段がオモテ面に設けられたマットを岸部の壁面に貼り付けた状態を示した斜視図である。
【図２】他の実施態様のマットを岸部の壁面に貼り付けた状態を示した斜視図である。
【図３】図２に示したマット１０を構成する部材を拡大して示した斜視図である。
【図４】歩行阻害手段がオモテ面に設けられたマットを岸部の壁面に多段に貼り付けた状態を示した斜視図である。
【発明を実施するための形態】
【００２０】
本発明のスクミリンゴガイの産卵防止方法の好適な実施態様について、図面を用いてより具体的に説明する。以下においては、説明の便宜上、図１に示すように、水路の岸部の壁面αにマット１０を貼り付ける場合について説明するが、これはあくまで一例であり、本発明の技術的範囲を限定するものではない。図１は、歩行阻害手段１１がオモテ面に設けられたマット１０を岸部の壁面αに貼り付けた状態を示した斜視図である。
【００２１】
本実施態様のスクミリンゴガイの産卵防止方法は、図１に示すように、水路の岸部の壁面αにおける水面βよりも高い箇所に、マット１０を貼り付けることにより行う。マット１０は、スクミリンゴガイ５０の歩行を阻害するための歩行阻害手段１１がオモテ面に設けられたものとなっている。マット１０の形態は、既に述べた通り、特に限定されないが、本実施態様のスクミリンゴガイの産卵防止方法においては、帯状のものを使用しており、その長手方向が水面βと平行となる向きで壁面αに貼り付けるようにしている。これにより、水面βから壁面αに貼り付けられたマット１０の下縁までの高さＨ０を一定に保ち、マット１０を貼り付けた全区間において、壁面αにおけるマット１０よりも下側の領域にもスクミリンゴガイ５０が産卵しないようにすることが可能になる。
【００２２】
壁面αに対してマット１０を貼り付ける方法も特に限定されず、接着剤や接着テープを用いる方法のほか、ボルトやビスなどを用いて壁面αに貼り付ける方法も例示される。本実施態様のスクミリンゴガイの産卵防止方法では、マット１０のウラ面に接着剤を塗布し、該ウラ面を壁面αに宛がうことによって、マット１０を壁面αに貼り付けている。このとき、接着剤は、耐水性のものを使用すると好ましい。これにより、マット１０を確実かつ容易に壁面αに貼り付けるだけでなく、マット１０が壁面αから剥がれるのを防止することも可能になる。
【００２３】
ところで、マット１０における歩行阻害手段は、既に述べた通り、スクミリンゴガイ５０の歩行を阻害できるのであれば特に限定されない。本実施態様のスクミリンゴガイの産卵防止方法においては、図１に示すように、マット１０のオモテ面から起立して設けた複数本の線材１１を歩行阻害手段としている。スクミリンゴガイ５０は、その触角や体が障害物に触れると、その障害物の存在する方向への移動を諦めて進行方向を変える習性を有している。このため、壁面αを登って来たスクミリンゴガイ５０の触角や体に線材１１を接触させ、スクミリンゴガイ５０に壁面αを登ることを諦めさせることが可能となっている。また仮に、マット１０まで到達したスクミリンゴガイ５０がその移動方向を変えなかった（壁面αを登り続けようとした）としても、腹足で移動するスクミリンゴガイは、多数本の線材１１が起立して設けられた状態の面を歩行することができないため、マット１０を乗り越えることができない。したがって、スクミリンゴガイ５０は、壁面αでの産卵を諦めて去って行くことになる。ここで述べた効果は、歩行素材手段１１を複数本の線材１１により構成した場合だけでなく、例えば図２に示すように、マット１０のオモテ面から起立して設けた複数本の突起１２によっても得ることができる。図２は、他の実施態様のマット１０を岸部の壁面αに貼り付けた状態を示した斜視図である。
【００２４】
歩行阻害手段としてマット１０に設ける線材１１や突起１２は、自立できる程度の剛性を有するものであれば、その形態や素材は特に限定されない。線材１１や突起１２の形態としては、線状、柱状又は帯状などが例示される。また、線材１１や突起１２の素材としては、樹脂や金属や植物繊維などが例示される。より具体的には、合成樹脂フィラメントや、金属ワイヤ（樹脂被覆されたものを含む。）や、植物繊維などを用いて線材１１や突起１２を形成することができる。なかでも、線材１１や突起１２を合成樹脂で形成すると、耐腐食性に優れるだけでなく、線材１１や突起１２に適度な弾力性と可塑性を付与することができるため、好適である。図１に示すマット１０の線材１１や、図２に示すマット１０の突起１２も合成樹脂製によって形成している。
【００２５】
線材１１や突起１２は、予め所定長さに切断した線材や柱状体や帯状体などを事後的にマット１０に固着することにより設けてもよいし、マット１０を成形・加工する際にマット１０と一体的に設けてもよい。図１のマット１０では、予め所定長さに切断した線材１１を事後的にマット１０に固着している。また、図２のマット１０では、図３に示す部材１３をマット１０のオモテ面に繰り返し固着又は成形することによって形成することにより、マット１０のオモテ面に突起１２を形成している。図３は、図２に示したマット１０を構成する部材１３を拡大して示した斜視図である。図３に示す部材１３は、筒状の基部１３ａから複数本の帯状の突片１３ｂが立ち上げられたものとなっており、この突片１３ｂのそれぞれが突起１２として機能するものとなっている。このほか、例えば、マット１０をパイル編みしてそのオモテ面に形成されたパイルやカットパイルを歩行阻害手段として利用することもできる。
【００２６】
それぞれの線材１１又は突起１２の高さは、上述した通り、好ましくは５〜５０ｍｍの範囲で設定されるが、本実施態様のスクミリンゴガイの産卵防止方法では、１２〜２０ｍｍとしている。また、それぞれの線材１１又は突起１２の直径は、上述した通り、好ましくは０．２〜５ｍｍの範囲で設定されるが、本実施態様のスクミリンゴガイの産卵防止方法では、線材１１の場合で１ｍｍとしている。一方、突起１２は、幅２ｍｍ×厚さ１ｍｍの断面矩形状となっており、その断面の渡り幅の最小値が１ｍｍで最大値が２ｍｍとなっている。
【００２７】
帯状に形成されたマット１０の幅（短手方向の幅。以下同じ。）は特に限定されないが、マット１０を幅狭なものとしすぎると、スクミリンゴガイ５０がマット１０を乗り越えやすくなるおそれがある。このため、マット１０の幅は、１ｃｍ以上とすると好ましい。マット１０の幅は、３ｃｍ以上であるとより好ましく、５ｃｍ以上であるとさらに好ましい。一方、マット１０を幅広なものとしすぎると、スクミリンゴガイ５０の歩行を阻害する観点からはあまり意味がないばかりか、マット１０の製造コストが増大したり、マット１０の取扱いが困難になったりするおそれがある。このため、マット１０の幅は、２０ｃｍ以下とすると好ましい。マットの短手方向の幅は、１５ｃｍ以下であると好ましく、１０ｃｍ以下であるとより好ましい。本実施態様のスクミリンゴガイの産卵防止方法では、図１に示すマット１０の場合で５．５ｃｍ、図２に示すマット１０の場合で８．５ｃｍとしている。
【００２８】
ところで、本実施態様のスクミリンゴガイの産卵防止方法においては、図１に示すように、複数本の線材１１のうち過半数の線材１１を壁面αの下側に向けた状態でマット１０を壁面αに貼り付けている。このため、マット１０のオモテ面をスクミリンゴガイ５０がより歩行しにくくなっている。下側に向ける線材１１の割合は、５０％以上であれば特に限定されないが、６０％以上、７０％以上、８０％以上、９０％以上と高くすればするほど好ましい。図１に示すマット１０は、全部の線材１１が下側に向けられている。
【００２９】
さらに、マット１０における線材１１（図１）や突起１２（図２）の配置密度は、上述した通り、好ましくは、０．５〜２０本／ｃｍ２の範囲とされる。本実施態様のスクミリンゴガイの産卵防止方法において、線材１１又は突起１２の配置密度は、図１に示すマット１０の場合で１本／ｃｍ２、図２に示すマット１０の場合で８本／ｃｍ２としている。
【００３０】
さらにまた、水面βから壁面αに貼り付けられたマット１０の下縁までの高さＨ０は、既に述べた通り、通常、１〜１０ｃｍの範囲で設定される。本実施態様のスクミリンゴガイの産卵防止方法では、高さＨ０を５ｃｍとしている。ところで、水面βの高さ（水位）は、降雨量や時期などによって変化するため、どのときの水位を基準に高さＨ０を決定するかが問題となる。例えば、増水時の水位を基準に高さＨ０を決定したのでは、水面βが平常時の水位まで低下したときに、マット１０が水面βよりもかなり高い位置となってしまい、その間の壁面αにスクミリンゴガイ５０が産卵するおそれがある。このため、高さＨ０は、通常時の水位（標準水位）を基準に決定すると好ましい。本実施態様のスクミリンゴガイの産卵防止方法においては、スクミリンゴガイ５０の産卵期（岡山県においては４月中旬〜１０月上旬）における通常時の水位を基準に高さＨ０を決定している。
【００３１】
そして、本実施態様のスクミリンゴガイの産卵防止方法では、マット１０を壁面αにおける同じ高さに１段で貼り付けたが、図４に示すように、異なる高さにマット１０を多段で貼り付けることも好ましい。図４は、歩行阻害手段１１がオモテ面に設けられたマット１０を岸部の壁面αに多段に貼り付けた状態を示した斜視図である。図４は、歩行阻害手段１１がオモテ面に設けられたマット１０を岸部の壁面αに多段に貼り付けた状態を示した斜視図である。これにより、水面βの高さ（水位）が変化してもスクミリンゴガイの産卵を防止することが可能になる。マット１０を複数段に配する場合、マット１０を何段に配するかは特に限定されず、水面βの高さ（水位）の変化する範囲などを考慮して適宜決定されるが、通常、２〜５段である。
【００３２】
図４に示すように、マット１０を多段に配する場合、上下に隣り合うマット１０の間隔Ｈ１（上下方向の間隔）は、特に限定されないが、狭くしすぎると、マット１０の施工に伴う手間が増大するだけで、マット１０を多段に配することの意義が低下する。このため、上下に隣り合うマット１０の間隔Ｈ１は、通常、５ｃｍ以上とされる。上下に隣り合うマット１０の間隔Ｈ１は、８ｃｍ以上とすると好ましく、１０ｃｍ以上とするとより好ましい。一方、上下に隣り合うマット１０の間隔Ｈ１を広くしすぎると、水位によっては、下側に配されたマット１０と上側に配されたマット１０との間の壁面αに産卵されるおそれがある。スクミリンゴガイは、水面から３０ｃｍ程度の高さがあれば産卵することがある。このため、上下に隣り合うマット１０の間隔Ｈ１は、通常、３０ｃｍ以下とされる。上下に隣り合うマット１０の間隔Ｈ１は、２０ｃｍ以下であると好ましく、１５ｃｍ以下であるとより好ましい。
【００３３】
本発明のスクミリンゴガイの産卵防止方法は、農業用水路などの各種水路や、水田や農業用貯水池などの各種貯水区において採用することができる。本発明のスクミリンゴガイの産卵防止方法は、施工が容易でコストも安いため、これら水路や貯水区の岸部の壁面αの広い範囲に適用することができる。例えば、水田を囲む周壁の全周部に亘ってマット１０を設けることもできる。施工距離が数百メートルあるいは、それ以上に及んでも、その手間やコストは知れている。既に述べたように、スクミリンゴガイは、水のかかる場所には産卵しない習性を有している。加えて、スクミリンゴガイの卵は水中では孵化できない。このため、水田の周壁の全周部に亘ってマット１０を設けると、スクミリンゴガイは水田内では繁殖できず、自然に数を減らしていくことになる。
【符号の説明】
【００３４】
１０    マット
１１    線材（歩行阻害手段）
１２    突起（歩行阻害手段）
１３    部材
１３ａ  基部
１３ｂ  突片
５０    スクミリンゴガイ
Ｈ０  水面から前記壁面に貼り付けられたマットの下縁までの高さ
α    壁面
β    水面
【図１】
2014212715.tif 000003
【図２】
2014212715.tif 000004
【図３】
2014212715.tif 000005
【図４】
2014212715.tif 000006